(57)【要約】【課題】ロール製品の端面だけでなく周面も保護することができ、且つ、少数の部材で長さが異なる多種類のロール製品を保護することができ、コストが低廉であるロール製品用プロテクターを提供する。【解決手段】端面保護板２と周面保護筒７からなるロール製品用プロテクター１であって、端面保護板２は平板部３と、前記平板部３から内面側に立設される軸受け部４と、周面保護筒７を嵌着するための嵌着部５からなることを特徴とする。【選択図】図１
2013147253.tif 000002
【特許請求の範囲】
【請求項１】
端面保護板と周面保護筒からなるロール製品用プロテクターであって、
端面保護板は平板部と、前記平板部から内面側に立設される軸受け部と、周面保護筒を嵌着するための嵌着部からなることを特徴とするロール製品用プロテクター。
【請求項２】
嵌着部は平板部の周縁から立設された周壁部と、該周壁部の内側に立設された内壁部からなり、周面保護筒が周壁部と内壁部により挟持されるように構成されていることを特徴とする請求項１に記載のロール製品用プロテクター。
【請求項３】
平板部は少なくとも一辺の直線状の辺を有することを特徴とする請求項１又は２に記載のロール製品用プロテクター。
【請求項４】
平板部が正多角形状であることを特徴とする請求項３に記載のロール製品用プロテクター。
【請求項５】
周面保護筒が折り畳み可能であることを特徴とする請求項１乃至請求項４のいずれかに記載のロール製品用プロテクター。
【請求項６】
周面保護筒が透明または半透明であることを特徴とする請求項１乃至請求項４のいずれかに記載のロール製品用プロテクター。
【発明の詳細な説明】
【技術分野】
【０００１】
本発明は、フィルム等の長尺物を芯体に巻回してなるロール製品を輸送、保管するためのロール製品用プロテクターに関し、更に詳しくは、ロール製品の端面だけでなく周面も保護することができ、且つ、少数の部材で長さが異なる多種類のロール製品を保護することができ、従ってコストが低廉であるロール製品用プロテクターに関する。
【背景技術】
【０００２】
従来より、プラスチックフィルム、プラスチックシート、紙等の長尺物を輸送、保管する場合には、これらの長尺物を芯体に巻回してロール製品を形成し、長尺物の端面及び周面が汚れたり損傷したりするのを防止するため、該ロール製品の端面の両側に軸受け部材等を装着した上でケースに収納して輸送、保管されていた（特許文献１参照）。
しかしながら、ロール製品の長さは様々なので、多種類の長さのロール製品に対応するためには、多種類のケースを用意する必要が生じ、そのための費用が嵩むため、コスト高になるという問題がある。
【０００３】
この問題を解決するため、板状部の周縁に壁部が立設された２個の保持具片からなり、一方の保持具片のなかに他方の保持具片を入れ子状に挿入するように構成されたロール状物保持具が提案されている（特許文献２参照）。
このロール状物保持具は、嵌合する壁部の重なり幅を調整することにより、長さが異なる複数のロール状物に対応できるので、金型や在庫管理のための費用を大幅に節減できる優れたものである。しかしながら、入れ子状に挿入嵌合する壁部の重なり幅を調整する構造からなるため、一つの保持具に収容できる最も長いロール状物と最も短いロール状物では長さが壁部の幅の２倍程度しかなく、長さが２倍以上のロール状物を収容するには壁部の幅の大きい保持具を製造する必要があるので、コストダウンにも限界がある。
【先行技術文献】
【特許文献】
【０００４】
【特許文献１】特開平７−６９３４１号公報
【特許文献２】特許第４６０１２７２号公報
【発明の概要】
【発明が解決しようとする課題】
【０００５】
本発明はかかる実情に鑑み、上記従来技術の問題点を解消し、ロール製品の端面及び周面を同時に保護することができるとともに、長さが異なる多種類のロール製品を保護することができ、安価なロール製品用プロテクターを提供することを目的とする。
【課題を解決するための手段】
【０００６】
本発明は上記目的を達成するためになされたもので、本発明の特徴の第１は、端面保護板と周面保護筒からなるロール製品用プロテクターであって、端面保護板は平板部と、前記平板部から内面側に立設される軸受け部と、周面保護筒を嵌着するための嵌着部からなるロール製品用プロテクターである。
【０００７】
本発明の特徴の第２は、嵌着部は平板部の周縁から立設された周壁部と、該周壁部の内側に立設された内壁部からなり、周面保護筒が周壁部と内壁部により挟持されるように構成されていることを特徴とする上記のロール製品用プロテクターである。
【０００８】
本発明の特徴の第３は、平板部は少なくとも一辺の直線状の辺を有する上記のロール製品用プロテクターである。
【０００９】
本発明の特徴の第４は、平板部が正多角形状である上記のロール製品用プロテクターである。
【００１０】
本発明の特徴の第５は、周面保護筒が折り畳み可能である上記のロール製品用プロテクターである。
【００１１】
本発明の特徴の第６は、周面保護筒が透明または半透明である上記のロール製品用プロテクターである。
【発明の効果】
【００１２】
本発明のロール製品用プロテクターは、端面保護板と周面保護筒からなり、端面保護板には周面保護筒を嵌着するための嵌着部が設けられているため、嵌着部において周面保護筒の端部を保持することにより、内部に収容したロール製品の端面と周面を同時に保護することができる。
嵌着部の構造としては、平板部の周縁から立設された周壁部と周壁部の内側に立設された内壁部からなり、周面保護筒が周壁部と内壁部により挟持されるように構成することにより、端面保護板と周面保護筒とを容易に嵌着又は分解することができる。
【００１３】
平板部に少なくとも一辺の直線状の辺を設ければ、当該直線状の辺を下にして置くことにより転がりが防止されるので、取り扱い性や管理、保管が容易になる。少なくとも一辺の直線状の辺を有する形状としては、正多角形状が好ましい。
【図面の簡単な説明】
【００１４】
【図１】図１は本発明のロール製品用プロテクターの一例を示す正面図である。
【図２】図２は図１のＡ−Ａ断面図である。
【図３】図３は図１のＢ−Ｂ断面図である。
【図４】図４は本発明で使用する端面保護板の裏面図である。
【図５】図５は嵌着部の別例を示す端面保護板の裏面図である。
【図６】図６は嵌着部の更なる別例を示す端面保護板の裏面図である。
【図７】図７は本発明のロール製品用プロテクターの平面図である。
【図８】図８は本発明のロール製品用プロテクターを積み重ねた場合のリブの係合状態を示す説明図である。
【発明を実施するための形態】
【００１５】
本発明のロール製品用プロテクターは、芯体に巻回された長尺物からなるロール製品を収納して保護するためのものであり、図１乃至図３に示すように、端面保護板２と周面保護筒７からなり、端面保護板２は平板部３と、前記平板部３から内面側に立設される軸受け部４と、周面保護筒７を嵌着するための嵌着部５からなることを特徴とする。
【００１６】
本発明における端面保護板２は、図２乃至図４に示すように、ロール製品Ｒの芯体８を保持するための軸受け部４と、後述の周面保護筒７を保持するための嵌着部５を有する板状部材である。この端面保護板２は、その平板部３がロール製品Ｒの端面に押し当てられることにより、芯体８に巻回された長尺物が滑り出してロール製品Ｒの形状が竹の子状に変形するのを防止するとともに、異物が当接して端面が傷付けられるのを防止する。
平板部３の形状は特に限定されないが、直線状の辺を少なくとも一辺有する形状とすれば、当該直線状の辺を下にして安置することにより、ロール製品用プロテクターが不用意に転がらないので取り扱い易く、保管、管理もし易くなるので好ましい。直線状の辺を少なくとも一辺有する形状としては、正多角形状や矩形状（図１乃至図４に示した例では正方形状）が例示できる。また、半月状のように、直線状の辺を除く部分については曲線であってもよい。
【００１７】
端面保護板２の平板部３からは、端面保護板２の内面側（ロール製品用プロテクターの内側になる面の方向）に向けて軸受け部４が立設される。軸受け部４の位置はロール製品Ｒの芯体に嵌着できる位置であれば特に限定されないが、通常は端面保護板２の内面側中央部に設けられる。軸受け部の形状もロール製品の芯体に嵌着できる形状であれば特に限定されないが、通常は、外径が芯体の内径とほぼ同じか僅かに大きく形成された円筒状の短い突出部とされる。
この軸受け部４の内側又は外側には当該軸受け部４を補強するためのリブを設けてもよく、あるいは芯体の中に挿入しやすくなるように先端側をアール状またはテーパ状に形成してもよい。なお、軸受け部４の外側にリブを設けた場合、当該リブは補強のみならず、装着された端面保護板２が芯体の周りで回転するのを防止する機能を有する。
【００１８】
端面保護板２には、周面保護筒７を嵌着するための嵌着部５が設けられる。嵌着部５の位置は特に限定されないが、端面保護板２の縁部が周面保護筒７の外縁から大きく突出すれば、突出した端面保護板２の縁部が異物と衝突した弾みで端面保護板２が外れる恐れがあるので、縁部が大きく突出しないように、嵌着部５は端面保護板２の縁部付近に設けるほうが好ましい。
嵌着部５の構造も周面保護筒７を嵌着できるかぎり特に限定されないが、図３、図４に示すように、平板部３の周縁から立設された周壁部５ａと、該周壁部５ａの内側に立設された内壁部５ｂからなり、周壁部５ａと内壁部５ｂにより周面保護筒７を挟持するように構成するのが好ましい。この場合、例えば、図２に示すように、周壁部５ａと内壁部５ｂとの隙間を周面保護筒７の厚さと略同じか僅かに小さ目とし、内壁部５ｂの内側を隙間の入口から内部にかけて狭くするテーパー状として、周面保護筒７を該隙間に圧入するようにすれば、端面保護板２と周面保護筒７を嵌着しやすく、また不意に外れにくいので好ましい。
その他の嵌着部５の構造としては、図５に示すような、複数（図５では４個）の外壁部５ｃを周設して、その外壁部５ｃの内側に周面保護筒７を内嵌させる構造や、図６に示すような、複数（図６では４個）の内壁部５ｂを周設して、その内壁部５ｂの外側に周面保護筒７を外嵌させる構造が例示できる。この場合も、入り口側が広がるテーパー状とすれば上記と同様の効果が得られる。端面保護板２と周面保護筒７との嵌着が不用意に外れないように、凹凸係合させることも可能である。この場合、凹凸係合は周面保護筒７の可撓性を利用して、撓ませることにより係合を容易に解くことができる。また、周面保護筒７がプラスチック段ボールからなる場合は、図示しないが、隣接するリブの間の空孔に挿入できるような櫛歯状の突起を設けてでもよい。
【００１９】
なお、本発明のプロテクター１は、２枚の端面保護板２の間に周面保護筒７が設けられた構造であり、端面保護板２の外面側から力が加わってもその力は周面保護筒７で吸収されるので、中のロール製品にはその力は伝わらない。従って、従来のプロテクターとは異なり、端面保護板２が上下になるようにプロテクター１を縦置きし、その上にさらに別のプロテクターを積載しても、上側のプロテクター１に収容されたロール製品Ｒの重みは下側のプロテクター１の周面保護筒７で支えられるので、下側のプロテクター１の中のロール製品Ｒを痛めずにプロテクター１を積載することができる。勿論、必要に応じ、横積みすることもできる。
【００２０】
端面保護板２の外面側（ロール製品とは接しない面の方向）の形状は特に限定されず、通常のプロテクターで使用されているものと同様の形状、構造が本発明の端面保護板２にも使用できる。具体的には、この種のプロテクターの外面側には、平板部を補強するためのリブが設けられることが多いが、図７に示したように、本実施例においてもリブ６を設けることができる。
【００２１】
なお、上記した通り、本発明のプロテクター１は端面保護板２が上下になるよう縦置きした状態で積み重ねることができるので、このような積み重ねを予定する場合には重ね合わされた上下プロテクターの端面保護板２の外側面のリブ６を係合させて滑り止めとして機能させることができる。例えば、図７に示した例では、リブ６は略正方形状でやや大きめのものと小さめのもの、斜線状で一本線のものと二本線のものの４種類のものから構成されているが、これを積み重ねると、図８に示すように、大きめの略正方形状のリブ６の中に小さめの略正方形状のリブ６が挿入され、二本線斜線状のリブ６のなかに一本線斜線状のリブ６が挿入されて係合し、滑り止めとして機能する。
【００２２】
端面保護板２の材質は特に限定されないが、軽量で成形しやすい点で樹脂が好ましく、例えば、ＡＢＳ樹脂（アクリロニトリル−ブタジエン- スチレン共重合樹脂）、ＡＡＳ樹脂（アクリロニトリル／アクリルゴム／スチレン樹脂）、ＡＥＳ樹脂（アクリロニトリル／エチレンプロピレンゴム／スチレン樹脂）、ＡＳ樹脂（アクリロニトリル／スチレン樹脂）、ＰＳ樹脂（ポリスチレン樹脂）、ＰＭＭＡ樹脂（ポリメチルメタクリレート樹脂）、ＰＶＣ樹脂（ポリ塩化ビニリデン樹脂）、ＭＳ樹脂（メチルメタクリレート／スチレン樹脂）、ＰＰ樹脂（ポリプロピレン樹脂）、ＰＥ樹脂（ポリエチレン樹脂）、ＰＢＴ樹脂（ポリブチレンテレフタレート樹脂）およびＰＣ樹脂（ポリカーボネート樹脂）等が使用可能である。更に、ポリ乳酸樹脂、ポリブチレンサクシネート、ポリアミド１１、ポリヒドロキシ酪酸等の生分解性プラスチック、バイオマスプラスチック等も使用可能である。生分解性プラスチックを用いた場合は、化石資源の使用を減少させ、特に、バイオマスプラスチックは植物由来の素材からなるので焼却処分しても植物が固定したＣＯ2 が排出されるだけであるので、ＣＯ2 排出量が増えないカーボンニュートラルが達成され、環境に優しく地球温暖化防止に寄与する利点がある。
【００２３】
本発明では、上記の嵌着部５に周面保護筒７を嵌着することにより、収容されたロール製品の周面が周面保護筒７で覆われるように構成されている。周面保護筒７の形状、構造は収容されるロール製品の周面を保護できる限り特に限定されないが、断面形状が円、正四角形等の多角形の筒状が例示できる。
なお、端面保護板２の平面形状との関係についても特に限定されず、端面保護板２の平面形状と周面保護筒７の断面形状が異なっていてもよいが（図５、図６に示した例では、端面保護板２の平面形状が正方形であるのに対し、周面保護筒７の断面形状は八角形）、異なる場合は端面保護板２の縁部が周面保護筒７の外縁よりも大きく突出し、取り扱い性が低下するとともに、突出した端面保護板２の縁部が異物と衝突した弾みで端面保護板２が外れる恐れがあるので、縁部が大きく突出しないように、周面保護筒７の断面形状は端面保護板２の平面形状とほぼ同形とするが好ましい。
【００２４】
本発明の周面保護筒７の形状は単なる筒状とすることができるので、非常に容易且つ安価に製造することができる。また、長さが短いロール製品を保護するための周面保護筒７は長い周面保護筒７をロール製品の長さに合わせて切断することにより、容易に得ることができるので、別途、短い周面保護筒７を予め用意しておく必要はない。従って、１種類の周面保護筒７で長さの異なるロール製品を収納保護することができるので、製造コストが大巾に低減され、在庫管理も容易である。
【００２５】
周面保護筒７の材質も特に限定されず、端面保護板２に使用できる樹脂が全て好適に使用できる。また、使用しない場合には、周面保護筒７を折り畳み可能とすれば輸送や保管が容易になるので好ましい。例えば、市販のプラスチック段ボールを筒状に丸めて周面保護筒７として使用することもできる。プラスチック段ボールを丸めて周面保護筒７とした場合、不使用時には元の形状であるシート状とできるので保管のためのスペースも僅かで済み、また、可撓性に富んでいるため、折り畳んで保管することができる。
また、周面保護筒７を透明又は半透明にすれば、プロテクター１の外部からロール製品の有無や内容、状態等を確認できるため取り扱い性が向上する。
【産業上の利用可能性】
【００２６】
上記したとおり、本発明のロール製品用プロテクターは端面保護板と周面保護筒からなり、端面保護板は平板部と、前記平板部から内面側に立設される軸受け部と、周面保護筒を嵌着するための嵌着部からなるので、ロール製品の端面だけでなく周面も保護することができる。また、周面保護筒をロール製品の長さに合わせて切断することにより、長さが異なる多種類のロール製品を収納保護することができ、従って、大幅なコストダウンが可能である。
【符号の説明】
【００２７】
１  ロール製品用プロテクター
２  端面保護板
３  平板部
４  軸受け部
５  嵌着部
５ａ  周壁部
５ｂ  内壁部
５ｃ  外壁部
６  リブ
７  周面保護筒
８  芯体
Ｒ  ロール製品
【図１】
2013147253.tif 000003
【図２】
2013147253.tif 000004
【図３】
2013147253.tif 000005
【図４】
2013147253.tif 000006
【図５】
2013147253.tif 000007
【図６】
2013147253.tif 000008
【図７】
2013147253.tif 000009
【図８】
2013147253.tif 000010